(57)【特許請求の範囲】
【請求項１】
回転中心軸を中心に回転する法面整畦部と上面整畦部とを含む回転体を備え、該回転体の外周面によって土を旧畦に塗り付ける畦塗り機用整畦体であって、
前記法面整畦部の外周面は、複数の略扇形状の第１の整畦板と第２の整畦板とが前記回転中心軸を中心として放射状に配置されて円錐台形状を形成し、
前記第１の整畦板は、回転方向後方側の端部に、回転方向の反対側に向かって回転中心軸からの距離が徐々に増加し、前記回転中心軸からの距離が最も大となる端面が形成されるエッジ部を有し、
前記第２の整畦板は、回転方向後方側の端部に、前記回転中心軸からの距離が最も大となる部分から連続的に設けられ、回転方向の反対側に向かって回転中心軸からの距離が徐々に減少して湾曲面が形成される曲面部を有し、
前記第１の整畦板は、前記第２の整畦板の前記湾曲面に相当する部分を有しない点で、前記回転中心軸からの距離が最も大となる部分より回転方向後方側における前記旧畦への接触面積が、前記第２の整畦板より小さいことを特徴とする畦塗り機用整畦体。
【請求項２】
前記法面整畦部は、ベース体に対して前記複数の第１の整畦板及び第２の整畦板が着脱可能に取り付けられていることを特徴とする請求項１記載の畦塗り機用整畦体。
【請求項３】
前記法面整畦部は、前記曲面部の部分と前記エッジ部の部分とがその他の部分の厚さより大きい厚肉に形成されていることを特徴とする請求項１又は２に記載の畦塗り機用整畦体。
【発明の詳細な説明】
【技術分野】
【０００１】
本発明は、畦塗り機に用いられる畦塗り機用整畦体に関する。
【背景技術】
【０００２】
従来、畦塗り機用整畦体として、円錐台形状の法面整畦部と、その回転軸方向に連結される円筒形状の上面整畦部とを持ち、畦塗り機の走行時に軸回りに回転することにより、前処理体が先行して切り崩した旧畦の土を、この旧畦上に塗りつけることで新たに法面と上面とを有する新畦として整畦するものが知られている。
【０００３】
このような畦塗り機用整畦体として、例えば特許文献１には、法面整畦部の表面を側面視ジグザグ状に形成することで、進行方向に対して前進角を設けるとともに、逃げ角を設けたものが開示されている。また、特許文献２には、法面整畦部として、隣接する整畦板同士の一部が重なるように複数の整畦板を配設し、当該重なり部分に所定の上下間隔が形成されたものが開示されている。さらに、特許文献３には、円錐形状の修復面に対して修復羽根が回転方向の後方に向かって突出するように形成された法面整畦部が開示されている。
【０００４】
このような特許文献１乃至特許文献３に開示された整畦体を用いれば、確かに、畦に対する加圧を大きくすることができるため、旧畦の法面に対して土を強く押し込んで塗り付けることができると考えられる。
【先行技術文献】
【特許文献】
【０００５】
【特許文献１】特開平１０−２７６５０４号公報
【特許文献２】特開２００３−７０３０３号公報
【特許文献３】特開２００１−１４８９０４号公報
【発明の概要】
【発明が解決しようとする課題】
【０００６】
しかしながら、整畦体の表面や整畦板を上記のような形状にすると、畦に対する加圧を高めることにより崩れにくい強固な畦に整畦できるものの、最終的に整畦板の端部（特許文献１においては、ジグザグ状部分の畦側の頂点部であり、特許文献２においては、整畦板の重なり部分であり、特許文献３においては、修復羽根の回転方向後方部分である）によって畦表面を引っ掻いてしまい、畦表面に引っ掻き跡が残り見栄えが悪くなる虞があった。
【０００７】
本発明は、畦を強固に整畦することができるとともに、整形後の畦に引っ掻き痕などが残り難い畦塗り機用整畦体を提供することを目的とする。
【課題を解決するための手段】
【０００８】
このような課題を解決するため、本発明による畦塗り機用整畦体は、回転中心軸を中心に回転する回転体を備え、該回転体の外周面によって土を旧畦に塗り付ける畦塗り機用整畦体であって、前記回転体は、その外周面において、回転方向の反対側に向かって回転中心軸からの距離が徐々に減少して湾曲面が形成される曲面部と、回転方向の反対側に向かって回転中心軸からの距離が徐々に増加して端面が形成されるエッジ部とが形成されていることを特徴とする。
また、前記回転体は、前記曲面部及び前記エッジ部が形成された複数の整畦板を備えることを特徴とする。
また、前記回転体は、ベース体に対して前記整畦体が着脱可能に取り付けられていることを特徴とする。
また、前記回転体は、前記曲面部の部分と前記エッジ部の部分とが厚肉に形成されていることを特徴とする。
【発明の効果】
【０００９】
本発明によれば、畦を強固に整畦することができるとともに、整形後の畦に引っ掻き痕などが残り難い畦塗り機用整畦体を提供することができる。
【図面の簡単な説明】
【００１０】
【図１】本発明の一実施の形態による畦塗り機の平面図である。
【図２】本発明の一実施の形態による畦塗り機の作業部の部分断面平面図である。
【図３】本発明の一実施の形態による整畦体の斜視図である。
【図４】本発明の法面整畦部の実施例１において、法面整畦板が旧畦に接触する状態における法面整畦板の一部の拡大端面図である。
【図５】本発明の法面整畦部の実施例１の変形例における法面整畦板の一部の拡大端面図である。
【図６】本発明の法面整畦部の実施例２において、法面整畦板が旧畦に接触する状態における法面整畦板の一部の拡大端面図である。
【図７】本発明の法面整畦部の実施例２の変形例における法面整畦板の一部の拡大端面図の変形例である。
【図８】整畦板の変形例における一部の拡大端面図である。
【発明を実施するための形態】
【００１１】
以下、本発明の実施形態について図面を参照しながら具体的に説明する。便宜上、同一の作用効果を奏する部分には同一の符号を付け、その説明を省略する。
【００１２】
（実施の形態１）
畦塗り機１は、図１に示すように、走行機体９０の後部に設けられた三点リンク連結機構（図示せず）に連結されて、走行機体９０の前進動に応じて畦塗り作業を行なうものである。畦塗り機１は、走行機体９０に装着されて走行機体９０からの動力が入力される入力軸４を備えた装着部１０と、装着部１０に設けられた旋回シリンダ３によって装着部１０から左右方向に移動可能なオフセット機構部２０と、オフセット機構部２０の移動端側（後端側）に垂直方向に延びる回動支点Ｏを設け、この回動支点Ｏを回動中心として水平方向に回動可能に配設されて入力軸４から伝達される動力によって走行機体９０の走行位置に対して側方にオフセットした位置で作業を行なう作業部５０とを有してなる。
【００１３】
装着部１０は、左右方向に延びるヒッチフレーム１１と、ヒッチフレーム１１の前側に取り付けられて走行機体９０の三点リンク連結機構に連結可能な連結フレーム１３とを有してなる。
【００１４】
オフセット機構部２０は、前端側をヒッチフレーム１１に回動自在に連結されて後方側へ延びるオフセットフレーム２１と、オフセットフレーム２１の右側に沿って並設されて前端側がヒッチフレーム１１の右側端部に回動自在に連結されたリンク部材２５とを有してなる。リンク部材２５の後端側は、オフセットフレーム２１の後端部に回動自在に設けられた連結部材２３に回動自在に設けられている。オフセット機構部２０は、オフセットフレーム２１、リンク部材２５、ヒッチフレーム１１及び連結部材２３によって平行リンク機構を形成している。
【００１５】
オフセットフレーム２１は、この後端部とヒッチフレーム１１の左側端部との間に枢結された前述した旋回シリンダ３の伸縮動作により左右方向に揺動可能である。オフセットフレーム２１内には動力伝達機構（図示せず）が設けられている。この動力伝達機構は、チェーン伝動機構であり、オフセットフレーム２１の後端側に作業部５０の回動支点Ｏと同軸上に回動自在に配設された従動軸２９を備えて、走行機体９０から入力軸４に伝達された動力を従動軸２９に伝達可能に構成されている。
【００１６】
従動軸２９の下部にはこれと同軸上に配置されて下方へ延びる主軸７が連結されている。主軸７は、従動軸２９の回転動とともに回転して、作業部５０への動力伝達が可能である。主軸７の外側には主軸７を覆う主軸ケースが配設され、この主軸ケースの上端部はオフセットフレーム２１の後端下部に回動可能に連結され、主軸ケースの下端部には作業部５０が固定された状態で取り付けられている。
【００１７】
作業部５０は、連結部材２３と主軸ケースとの間に繋がれた伸縮シリンダ４１の伸縮により回動支点Ｏに対して回動可能であるとともに、伸縮シリンダ４１の伸縮規制によりオフセット機構２０の揺動に対して作業部５０の作業方向が走行機体９０の進行方向Ａと平行になるように保持される。
【００１８】
作業部５０は、圃場の周辺に沿って形成された旧畦の上部を切り崩す天場処理部５１と、切り崩した土の土盛りを行なう前処理部６１と、盛られた土を外周面によって切り崩された旧畦上に塗り付ける回転体としての整畦体８０とを有してなる。
【００１９】
前処理部６１は、図２を更に追加して説明すると、前処理動力伝達ケース６４を介して主軸ケースに連結されて支持される。前処理動力伝達ケース６４内には、主軸７からの動力を受けて回転駆動する前処理側駆動軸６６を有した動力伝達機構６５が内蔵されている。前処理側駆動軸６６の先端部に前処理部６１が接続されている。前処理部６１の回転軸である耕耘軸６２は前処理側駆動軸６６に同軸上に接続されている。前処理部６１の耕耘軸６２は、平面視において旧畦Ｋ側に傾斜している。
【００２０】
耕耘軸６２には、その外周に複数の耕耘爪６７が放射状に取り付けられて、耕耘爪６７は耕耘軸６２とともに回転して、圃場の耕土を耕耘して旧畦側に土盛りする。
【００２１】
天場処理部５１は、天場動力伝達ケース５４を介して前処理部６１に支持されている。天場処理部５１の回転軸５２には複数の耕耘爪５３が放射状に取り付けられ、天場処理部５１の回転軸５２は平面視において旧畦Ｋ側に傾斜して配置されている。天場動力伝達ケース５４内には動力伝達機構５５が設けられ、動力伝達機構５５は前処理部６１の耕耘軸６２に接続されて前処理部６１からの動力を天場処理部５１に伝達可能である。
【００２２】
天場動力伝達ケース５４は天場処理部５１の基端側に配置されて天場処理部５１の回転軸５２に対して直交する方向に延び、この基端部は前処理部６１の耕耘軸６２の先端部に対して上下回動自在に取り付けられている。このため、天場動力伝達ケース５４は基端部を回動中心として上下方向に回動自在である。
【００２３】
整畦体８０は、左右方向に延びて回転動自在に支持された回転軸８１に取り付けられた法面整畦部８２と、法面整畦部８２の右側端部に取り付けられて横方向に延びる上面整畦部８３とを有してなる（図２及び図３参照）。整畦体８０は整畦動力伝達ケース８７を介して主軸ケースに連結されて支持される。整畦動力伝達ケース８７内には図示しない整畦側動力伝達機構が内蔵され、この整畦側動力伝達機構は主軸７に繋がって、主軸７からの動力を整畦体８０に伝達可能に構成されている。上面整畦部８３は全体として略円筒状に形成されており、その後端位置である中心部において連結部８６に連結している。そして、上面整畦部８３の外周面には、弾性体で形成された複数の矩形状の上面整畦板８５が周方向に放射状に設けられている。なお、複数の上面整畦板８５は、端辺で互いに連結されていてもよいし、それぞれの上面整畦板８５が互いに連結せずに独立して上面整畦部８３に取り付けられていてもよい。
【００２４】
次に、法面整畦部８２に設けられた法面整畦板８４（法面整畦板８４Ａ、法面整畦板８４Ｂ）の詳細について説明する。図４は、複数の法面整畦板８４が連設されて構成される法面整畦部８２が旧畦Ｋに接する様子を模式的に表したものである。なお、法面整畦部８２が平坦状に描画されており、複数の整畦板が旧畦に接しているが、実際には法面整畦部８２は回転軸を中心とした円弧状に湾曲するものである。図４は端面図として描かれているが、任意の断面図であっても同様の形状となるものである。以下、図５乃至８についても同様である。
【００２５】
図２に示すように、法面整畦部８２は全体として円錐台形状に形成されており、その先端位置（図２において右側端部）に上面整畦部８３と連結する連結部８６が上面整畦部８３に向かって突設されている。
【００２６】
法面整畦部８２の外周面は、複数の略扇形状をした法面整畦板８４が回転軸８１を中心に放射状に連設されており、これにより円錐台形状を形成している。なお、法面整畦板８４は、例えばステンレス、鋼板等の金属材料等や、例えばポリプロピレン、ポリエチレン、ポリ塩化ビニル等の合成樹脂によって形成されるものであるが、これらに限定されるものではない。
【００２７】
図４に示すように、法面整畦部８２は法面整畦板８４Ａ及び法面整畦板８４Ｂが交互に重なり合いながら扇形状における半径部分が連設されて構成されている。なお、図４においては、この半径部分は法面整畦板８４Ａ及び法面整畦板８４Ｂにおける左右の両端部に相当する。法面整畦板８４Ａ及び法面整畦板８４Ｂは、いずれも回転方向Ｆ側の端部が所定の段部を備えた接合面８４３となっており、回転方向Ｆ側に隣接する法面整畦板８４Ｂ及び法面整畦板８４Ａの回転方向Ｆと逆側の端部の内側面と接合している。
【００２８】
法面整畦板８４Ａは、回転方向Ｆ側の端部から逆側の端部に向かうにつれて、回転軸８１からの距離（回転半径に相当）が大きくなるように構成される。これにより、図面上、法面整畦板８４Ａにおいて、回転方向Ｆの後方側は旧畦Ｋに向かって突出することになり、この突出した法面整畦板８４Ａにおける回転方向Ｆの後方側によって土が旧畦Ｋに押し込まれて塗り付けられる。そして、この突出した法面整畦板８４Ａの後方側において、回転軸８１からの距離が最も大となる部分（図４において畦面Ｋと接する部分）が曲面部８４１となっている。
【００２９】
曲面部８４１は、最も外方に突出した位置から回転方向Ｆの後方に連続的に設けられ、回転方向の反対側に向かって回転軸８１からの距離が徐々に減少する湾曲面８４１ａが形成されて構成される。この湾曲面８４１ａは、回転方向Ｆの後方に向かって回転軸８１からの距離が徐々に縮まるように形成されており（図面上は、畦面から徐々に離れるように描画されている）、緩やかな円弧状をなしている。曲面部８４１が旧畦Ｋに接するときは、最も外方に突出した曲面部８４１の頂部が旧畦Ｋに接した後も、法面整畦部８２の回転にともなって連続的に湾曲面８４１ａ側が旧畦Ｋに接する。そのため、曲面部８４１における連続的な平面形状が旧畦Ｋを塗りつけるように動作し、法面整畦部８２の回転にしたがって湾曲部８４１ａが徐々に旧畦から離れていくので、畦面に対して引っ掻き痕が残ることを防止し、畦の表面を滑らかな形状に仕上げ易くなっている。
【００３０】
法面整畦板８４Ｂは、回転方向Ｆ側の端部から逆側（回転方向後方側）の端部に向かうにつれて、回転軸８１からの距離が大きくなるように構成される。これにより、図面上、法面整畦板８４Ｂにおいて、回転方向Ｆの後方側は畦面に向かって突出することになり、この突出した法面整畦板８４Ｂにおける回転方向Ｆの後方側によって土が畦面に押し込まれて塗り付けられる。そして、この突出した法面整畦板８４Ｂの後方側において、法面整畦板８４Ａでは、回転軸８１からの距離が最も大となる部分が湾曲面８４１ａの形成された曲面部８４１になっているのに対し、法面整畦板８４Ｂでは、湾曲面８４１ａに相当する形状のないエッジ部８４２となっている。
【００３１】
エッジ部８４２は、法面整畦板８４Ｂにおける回転方向Ｆの逆側に臨む端部であり、畦側に向かって最も突出した位置が端面８４２ａとなっている。そして、この端面８４２ａよりも回転方向Ｆの後方には旧畦Ｋに接する部分が形成されていないため、回転方向Ｆの反対側に向かって回転軸８１からの距離が徐々に増加した状態のまま端面８４２ａまで至ることになる。これにより、エッジ部８４２が旧畦Ｋに接するときは、最も外方に突出している位置に形成された端面８４２ａに旧畦への圧力が集中し、強力に土を畦に押し込むことができる。なお、端面８４２ａから法面整畦板８４Ａまでの半径方向の距離は、曲面部８４１の端面から法面整畦板８４Ｂまでの半径方向の距離より大となる。
【００３２】
このように、法面整畦部８２は、回転方向後部に曲面部８４１が形成された法面整畦板８４Ａと、同回転方向後部にエッジ部８４２が形成された法面整畦板８４Ｂとが、法面整畦部８２の外周面に対して複数が交互に設けられている。そのため、法面整畦部８２が回転することにより、法面整形板８４Ｂのエッジ部８４２によって土を旧畦に強固に押し込みつつ、法面整形板８４Ａの曲面部８４１によって土を旧畦に滑らかに塗り付けることができる。これにより、法面整畦部８２によって、強固かつ表面が滑らかな形状の畦に形成し易くなっている。
【００３３】
本実施形態において複数の法面整畦板８４は、扇形の半径にあたる直線部分で互いに連結されているが、これ以外にも、例えば図５に示すように、それぞれの法面整畦板８４同士を連結させずに取り付けても構わない。この場合、円錐台形状のベース体１８２に対して法面整畦板１８４（１８４Ａ，１８４Ｂ）の回転方向側の端部１８５（１８５ａ，１８５ｂ）を接合する。図示例では、法面整畦板１８４が合成樹脂によって形成される例であり、ビス等の締結部材によってベース体１８２に締結されるものであるが、ステンレス等の金属によって形成されるときには、溶接等によって接合されても構わない。ただし、法面整畦板１８４を締結部材によって着脱可能に取り付ければ、法面整畦板１８４に摩耗や損傷などが生じても、摩耗等が生じた法面整畦板１８４のみを簡単に交換することができる。
【００３４】
また、ベース体１８２への取付に際しては、法面整畦板１８４Ｂの接合部分（端部１８５ｂ）と法面整畦板１８４Ａの曲面部１８１ａや、法面整畦板１８４Ａの接合部分（端部１８５ａ）と法面整畦板１８４Ｂのエッジ部１８１ｂのような、隣接する端部同士が重複するように配置される。これにより、ベース体１８２に対する法面整畦板１８４の接合部分が隣接する法面整畦板１８４によって被覆されるため、作業時に接合部分が畦面に接してしまうことがなく、畦の表面がより滑らかな形状に整畦される。
【００３５】
なお、本実施の形態においては、図４に示すように、法面整畦板８４Ａと法面整畦板８４Ｂとが周方向に交互に設けられているが、これに限らず、例えば、法面整畦板８４Ａが周方向に所定数連続して設けられたり、法面整形板８４Ｂが周方向に所定数連続して設けられたりして構わない。さらに、法面整形板８４Ａ又は法面整形板８４Ｂのいずれか一方が多く設けられていても構わない。
【００３６】
（実施の形態２）
図６に、実施の形態２として法面整畦板２８４によって構成される法面整畦部２８２の模式図を示す。なお、前記実施の形態１と同一または対応する部分には、図１乃至図５と同一の符号を用いて前記実施の形態１と異なる構成のみを説明する。なお、実施の形態２における法面整畦部２８２は、実施の形態１における法面整畦部８２に代わるものである。図６は、複数の法面整畦板２８４が連設されて構成される法面整畦部２８２が旧畦Ｋに接する様子を模式的に表したものである。法面整畦部１８２が平坦状に描画されているが、実際には回転軸を中心に円弧状に湾曲するものである。
【００３７】
法面整畦部２８２の外周面は、複数の略扇形状をした法面整畦板２８４が回転軸８１を中心に放射状に連設されており、これにより円錐台形状を形成している。なお、法面整畦板２８４は、例えばステンレス、鋼板等の金属材料等や、例えばポリプロピレン、ポリエチレン、ポリ塩化ビニル等の合成樹脂によって形成されるものであるが、これらに限定されるものではない。
【００３８】
図示例の法面整畦部２８２は、隣接する複数の法面整畦板２８４が重なり合いながら扇形状における半径部分が連設されて構成されている。法面整畦板２８４は、回転方向Ｆ側の端部が所定の段部を備えた接合面２８４ｅとなっており、回転方向Ｆ側に隣接する法面整畦板１８４における回転方向Ｆと逆側の端部の内側面と接合している。
【００３９】
法面整畦板２８４は、回転方向Ｆ側の端部から逆側の端部に向かうにつれて、回転軸８１からの距離（回転半径に相当）が大きくなるように構成される。これにより、図面上、回転方向Ｆの後方側に向かうにつれて、法面整畦板１８４の表面が旧畦Ｋに向かって突出することになる。そして、法面整畦板１８４の周方向の中間位置付近において、最も外方に突出した頂部（図６において畦面Ｋと接する部分）が設けられ、ここにエッジ部２８４ｂが形成される。エッジ部２８４ｂにおける回転半径は、回転方向Ｆ側から逆側に向かうにつれて連続的に徐々に大きくなり、これが回転方向Ｆの逆側に臨む端部に形成された端面２８４ｄを境に急激に所定の大きさだけ減少し段部を形成する。これにより、回転方向Ｆの反対側に向かって回転軸８１からの距離が徐々に増加した状態のまま端面２８４ｄまで至ることになる。
【００４０】
そして、段部によって一段下がった位置から、また回転方向Ｆ側の端部から逆側の端部に向かうにつれて、回転軸８１からの距離が大きくなるように構成される。これにより、図面上、回転方向Ｆの後方側に向かうにつれて、法面整畦板２８４の表面が旧畦Ｋに向かって突出することになる。そして、この突出した法面整畦板２８４の後方側において、回転軸８１からの距離が最も大となる部分（図６において畦面Ｋと接する部分）が曲面部２８４ａとなっている。
【００４１】
曲面部２８４ａは、最も外方に突出した位置から回転方向後方に連続的に設けられ、回転方向の反対側に向かって回転軸８１からの距離が徐々に減少する湾曲面２８４ｃが形成されて構成される。この湾曲面２８４ｃは、回転方向Ｆの後方に向かって回転軸８１からの距離が徐々に縮まるように形成されており（図面上は、畦面から徐々に離れるように描画されている）、緩やかな円弧状をなしている。
【００４２】
このように、回転方向中間位置にエッジ部２８４ｂが、回転方向後方部に曲面部２８４ａがそれぞれ形成された法面整畦板２８４が、法面整畦部２８２の外周面に対して複数が交互に設けられている。そのため、法面整畦部２８２が回転することにより、法面整形板２８４のエッジ部２８４ｂによって土を旧畦に強固に押し込みつつ、曲面部２８４ａによって土を旧畦に滑らかに塗り付けることができる。これにより、法面整畦部２８２によって、強固かつ表面が滑らかな形状の畦に形成し易くなっている。
【００４３】
また、実施の形態１と異なり、１種類の法面整畦板によって法面整畦部が構成されるため、分品点数が少なくて済み、コストが抑えられ、また組立も容易になる。
【００４４】
本実施形態において複数の法面整畦板２８４は、扇形の半径にあたる直線部分で互いに連結されているが、これ以外にも、例えば図７に示すように、それぞれの法面整畦板３８４同士を連結させずに取り付けても構わない。この場合、円錐台形状のベース体３８２に対して曲面部３８１及びエッジ部３８３を備えた法面整畦板３８４の回転方向側の端部３８５を接合する。図示例は、法面整畦板３８４が合成樹脂によって形成される例であり、ビス等の締結部材によってベース体に締結されるものであるが、ステンレス等の金属によって形成されるときには、溶接等によって接合されても構わない。ただし、法面整畦板３８４を締結部材によって着脱可能に取り付ければ、法面整畦板３８４に摩耗や損傷などが生じても、摩耗等が生じた法面整畦板３８４のみを簡単に交換することができる。
【００４５】
また、ベース体３８２への取付に際しては、法面整畦板３８４の接合部分（端部３８５）と隣接する法面整畦板３８４の曲面部３８１のような、隣接する端部同士が重複するように配置される。これにより、ベース体３８２に対する法面整畦板３８４の接合部分が隣接する法面整畦板３８４によって被覆されるため、作業時に接合部分が畦面に接してしまうことがなく、畦の表面がより滑らかな形状に整畦される。
【００４６】
なお、本実施形態では、一枚の法面整形板に曲面部とエッジ部とがそれぞれ１カ所ずつ形成されているが、これに限らず、例えば、エッジ部が複数形成されても構わない。また、エッジ部を回転方向逆側の端部に形成し、曲面部を回転方向中間位置に形成しても良く、この場合、曲面部が複数形成されても構わない。
【００４７】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。さらに、上述の各実施の形態は、その目的及び構成等に特に矛盾や問題がない限り、互いの技術を流用することができる。例えば、実施の形態１における法面整畦板８４Ａと法面整畦板８４Ｂとの間に実施の形態２における法面整畦板２８４を挿入し連設しても構わない。
【００４８】
また、畦の上面を強固かつ表面が滑らかな形状に整畦すべく、上面整畦部８３に対して本発明を適用することもできる。この場合、回転軸８１に直行する端面視（断面視）において、各上面整畦板８５における形状が、法面整畦板８４等と同様の形状をなすように形成される。例えば、上面整畦板８５の上面整畦部８３回転方向の後方側は、上面整畦部８３の外周面より外方に突出しており、この突出した上面整畦板８５の後方部によって土が旧畦上に押し込まれて塗り付けられる。そして、この突出した上面整畦板８５の後方部には、曲面部又はエッジ部のいずれかが形成されるものである。
【００４９】
なお、上記のように上面整畦部に対して曲面部及びエッジ部を形成する場合には、法面整畦部に対して曲面部及びエッジ部を設けることは任意であり、上面整畦部のみに対して曲面部及びエッジ部を形成しても構わないし、上面整畦部及び法面整畦部の双方に対して曲面部及びエッジ部を形成しても構わない。
【００５０】
また、本実施形態においては、法面整畦板及び上面整畦板においては、各部の部材の厚みが略同一に形成されているが、部分的に厚みを変更しても構わない。例えば図８に示すように、整畦板４８４において曲面部４８４ａ及びエッジ部４８４ｂの部分の厚さを厚肉とし、その他の部分の厚さよりも大きく形成することができる。この場合、旧畦Ｋに土を押し込み塗り付ける際に、他の部分よりも圧力が加わり易く、摩耗し易い部分（曲面部４８４ａ、エッジ部４８４ｂ）の強度を高めることができる。
【符号の説明】
【００５１】
１        畦塗り機
８０        整畦体
８１        回転軸
８２        法面整畦部
８３        上面整畦部
８４        法面整畦板
８４１        曲面部
８４１ａ      湾曲面
８４２        エッジ部
８４２ａ      端部
Ｆ        回転方向
Ｋ        旧畦
【図１】
0006427161.tif 000002
【図２】
0006427161.tif 000003
【図３】
0006427161.tif 000004
【図４】
0006427161.tif 000005
【図５】
0006427161.tif 000006
【図６】
0006427161.tif 000007
【図７】
0006427161.tif 000008
【図８】
0006427161.tif 000009